(57)【要約】【課題】  レンズを光軸方向に駆動するのに磁気駆動機構により回転する回転体を採用した場合でも、駆動時に回転体に大きなぶれが発生しないレンズ駆動装置を提供すること。【解決手段】  レンズ駆動装置１では、円筒状に構成されたステータ５０と、ステータ５０と駆動マグネット６０とによって構成された磁気駆動機構６により光軸周りに回転駆動される円筒状の回転体８と、この回転体８の回転駆動力が変換され光軸方向Ｌに駆動される移動レンズ体１０とを有し、ベース２１、ステータ５０およびカバー２２によって、固定体２０が構成されている。ベース２１は、回転体８と移動レンズ体１０との間でステータ５０の光軸方向の中央位置まで突出して回転体８に対向する突出部分２１１を備え、この突出部分２１１の上端部付近には、その外周面から半径方向に突出して回転体８の内周面に当接して中央側ラジアル支持部９１を構成する張り出し部分２１２を備えている。【選択図】    図２
2007025479.tif 000002
【特許請求の範囲】
【請求項１】
円筒状のステータを備えた磁気駆動機構と、該磁気駆動機構により光軸周りに回転駆動される円筒状の回転体と、該回転体の回転駆動力が変換されて光軸方向に駆動されるレンズとを有するレンズ駆動装置において、
前記磁気駆動機構の光軸方向における中心位置で前記回転体をラジアル方向で支持する中央側ラジアル支持部が構成されていることを特徴とするレンズ駆動装置。
【請求項２】
請求項１において、少なくとも前記ステータと該ステータが搭載されたベースとを備えた固定体を有し、
前記ステータの内側に前記回転体が同軸状に配置されているとともに、該回転体の内側に前記レンズを備えた移動レンズ体が同軸状に配置され、
前記回転体は、前記ステータとともに前記磁気駆動機構を構成して光軸周りに回転駆動される円筒状の駆動マグネットと、該駆動マグネットの回転によって前記移動レンズ体を光軸に沿って移動させるための駆動力伝達部とを備え、
前記中央側ラジアル支持部は、前記ステータの光軸方向における中心位置で前記固定体と前記回転体との間に構成されていることを特徴とするレンズ駆動装置。
【請求項３】
請求項２において、前記中央側ラジアル支持部は、前記回転体と前記移動レンズ体との間で前記ベースから前記ステータの光軸方向の中央部分まで突出して当該回転体の内周面に対向する突出部分と、前記回転体の内周面との間に構成されていることを特徴とするレンズ駆動装置。
【請求項４】
請求項２において、前記中央側ラジアル支持部は、前記回転体の外周面と、前記ステータの内周面あるいは該ステータの内周面で前記回転体の外周面と対向する部材との間に構成されていることを特徴とするレンズ駆動装置。
【請求項５】
請求項２ないし４のいずれかにおいて、前記ベースと前記回転体との間には、前記ステータの光軸方向における中心位置から光軸方向の一方側に偏った位置で前記回転体をラジアル方向で支持する端部側ラジアル支持部が構成されていることを特徴とするレンズ駆動装置。
【請求項６】
請求項２ないし５のいずれかにおいて、前記ラジアル支持部は、前記固定体および前記回転体のうちの一方側から半径方向に突出して他方側に当接する張り出し部によって構成されていることを特徴とするレンズ駆動装置。
【請求項７】
請求項２ないし６のいずれかにおいて、前記回転体の端面と前記ベースとの間には、前記回転体をスラスト方向で支持するスラスト支持部が構成されていることを特徴とするレンズ駆動装置。
【請求項８】
請求項７において、前記スラスト支持部は、前記回転体および前記ベースのうちの一方側から光軸方向に突出して他方側に当接する突起によって構成され、
当該突起は、周方向の３箇所以上に構成されていることを特徴とするレンズ駆動装置。
【請求項９】
請求項７または８において、前記スラスト支持部での前記回転体と前記ベースとの接触面積は、前記回転体の端面の面積の１／２以下であることを特徴とするレンズ駆動装置。
【発明の詳細な説明】
【技術分野】
【０００１】
本発明は、カメラなどに用いられるレンズ駆動装置に関するものである。
【背景技術】
【０００２】
カメラ付き携帯機器などに搭載される薄型カメラでは、レンズを光軸方向に駆動するにあたって、磁気駆動機構を円筒状に構成するとともに、この磁気駆動機構によって回転体を光軸周りに回転させ、この回転駆動力を変換しレンズを光軸方向に駆動する構成が提案されている（例えば、特許文献１参照）。
【特許文献１】特開２００４−３４７８９０号公報
【発明の開示】
【発明が解決しようとする課題】
【０００３】
上記レンズ駆動装置のように、回転体を利用した構成では、回転体をラジアル方向で支持する部分が必要であり、このようなラジアル支持部は、通常、磁気駆動機構や回転体が搭載されたベースから突出させた突起と、回転体の内周面あるいは外周面との間に構成することが多いため、回転体は、光軸方向の端部で支持されることになる。
【０００４】
しかしながら、磁気駆動機構で発生する磁気駆動力は、その軸線方向の中央位置で作用するにもかからわらず、回転体を端部で支持する構造を採用すると、回転体が回転した際、回転体のぶれが大きいという問題点がある。
【０００５】
このようなぶれは、レンズに傾きが発生する原因となるため、薄型カメラなどにおいて画素数が少ない場合には大きな問題とならないが、画素数を増大させた場合には画質の低下という重大な問題を惹き起こしてしまう。
【０００６】
以上の問題点に鑑みて、本発明の課題は、レンズを光軸方向に駆動するのに磁気駆動機構により回転する回転体を採用した場合でも、駆動時に回転体に大きなぶれが発生しないレンズ駆動装置を提供することにある。
【課題を解決するための手段】
【０００７】
上記課題を解決するために、本発明では、円筒状のステータを備えた磁気駆動機構と、該磁気駆動機構により光軸周りに回転駆動される円筒状の回転体と、該回転体の回転駆動力が変換されて光軸方向に駆動されるレンズとを有するレンズ駆動装置において、前記磁気駆動機構の光軸方向における中心位置で前記回転体をラジアル方向で支持する中央側ラジアル支持部を有していることを特徴とする。
【０００８】
本発明において、磁気駆動機構で発生する磁気駆動力によって回転体が回転すると、その回転力が変換されてレンズが光軸方向に駆動される。その際、磁気駆動機構で発生する磁気駆動力は、その軸線方向の中央位置で作用するとみなすことができ、このような作用位置に一致させて、磁気駆動機構の光軸方向における中心位置で回転体をラジアル方向で支持する中央側ラジアル支持部が構成されている。従って、駆動時において回転体には大きなぶれが発生しない。このため、レンズに傾きが発生しないので、薄型カメラなどにおいて画素数を増大させた場合でも、品位の高い画像を得ることができる。また、駆動時において回転体には大きなぶれが発生しないため、異音の発生も防止できる。
【０００９】
本発明において、少なくとも前記ステータおよび該ステータが搭載されたベースを備えた固定体を有し、前記ステータの内側に前記回転体が同軸状に配置されているとともに、該回転体の内側に前記レンズを備えた移動レンズ体が同軸状に配置され、前記回転体は、前記ステータとともに前記磁気駆動機構を構成して光軸周りに回転駆動される円筒状の駆動マグネットと、該駆動マグネットの回転によって前記移動レンズ体を光軸に沿って移動させるための駆動力伝達部とを備えている場合がある。この場合、前記中央側ラジアル支持部は、前記ステータの光軸方向における中心位置で前記固定体と前記回転体との間に構成されていることが好ましい。
【００１０】
本発明において、前記中央側ラジアル支持部は、前記回転体と前記移動レンズ体との間で前記ベースから前記ステータの光軸方向の中央部分まで突出して当該回転体の内周面に対向する突出部分と、前記回転体の内周面との間に構成されていることが好ましい。
【００１１】
本発明において、前記中央側ラジアル支持部は、前記回転体の外周面と、前記ステータの内周面あるいは該ステータの内周面で前記回転体の外周面と対向する部材との間に構成された構造を採用してもよい。
【００１２】
本発明において、前記ベースと前記回転体との間には、前記ステータの光軸方向における中心位置から光軸方向の一方側に偏った位置で前記回転体をラジアル方向で支持する端部側ラジアル支持部が構成されている構成を採用してもよい。
【００１３】
本発明において、前記ラジアル支持部は、前記固定体および前記回転体のうちの一方側から半径方向に突出して他方側に当接する張り出し部によって構成されていることが好ましい。このように構成すると、張り出し部の数や大きさによって回転体に対する支持面積を任意に設定できる。それ故、回転体に対する確実な支持と、摩擦力の低減による駆動力の損失低減の双方を実現できる。
【００１４】
本発明において、前記回転体の光軸方向の端面と前記ベースとの間には、前記回転体をスラスト方向で支持するスラスト支持部が構成されていることが好ましい。
【００１５】
本発明において、前記スラスト支持部は、前記回転体および前記ベースのうちの一方側から光軸方向に突出して他方側に当接する突起によって構成されている場合、当該突起は、周方向の３箇所以上に構成されていることが好ましい。このように構成すると、回転体に対する支持面積が狭いので、摩擦による駆動力の損失を低減できる。
【００１６】
本発明において、前記スラスト支持部での前記回転体と前記ベースとの接触面積は、前記回転体の端面の面積の１／２以下であることが好ましい。このように構成すると、回転体に対する支持面積が狭いので、摩擦による駆動力の損失を低減できる。
【発明の効果】
【００１７】
本発明において、磁気駆動機構で発生する磁気駆動力によって回転体が回転すると、その回転力が変換されてレンズが光軸方向に駆動される。その際、磁気駆動機構で発生する磁気駆動力は、その軸線方向の中央位置で作用するとみなすことができ、このような作用位置に一致させて、磁気駆動機構の光軸方向における中心位置で回転体をラジアル方向で支持する中央側ラジアル支持部が構成されている。従って、駆動時において回転体には大きなぶれが発生しない。このため、レンズに傾きが発生しないので、薄型カメラなどにおいて画素数を増大させた場合でも、品位の高い画像を得ることができる。また、駆動時において回転体には大きなぶれが発生しないため、異音の発生も防止できる。
【発明を実施するための最良の形態】
【００１８】
以下に、図面を参照して、本発明を適用したレンズ駆動装置を説明する。
【００１９】
［実施の形態１］
（全体構成）
図１は、本発明の実施の形態１に係るレンズ駆動装置の平面図である。図２（ａ）、（ｂ）はそれぞれ、本発明の実施の形態１に係るレンズ駆動装置の縦断面図、およびその要部の拡大断面図である。
【００２０】
図１および図２（ａ）、（ｂ）において、本形態のレンズ駆動装置１は、カメラ付き携帯電話などに搭載されている薄型カメラにおいて、３枚のレンズ２、３、４を光軸Ｌに沿って被写体（物体側）に近づくＡ方向、および被写体とは反対側（像側）に近づくＢ方向の双方向に移動させるためのものであり、概ね、３枚のレンズ２、３、４をレンズホルダ１１上に一体に保持した移動レンズ体１０と、この移動レンズ体１０を光軸Ｌに沿って移動させる駆動機構５と、駆動機構５および移動レンズ体１０が搭載されたベース２１とを有している。
【００２１】
本形態において、ベース２１には、後述するステータ５０の他、ＣＣＤ（撮像素子）などが搭載されている。また、被写体側には、ベース２１に対してステータ５０を挟むようにカバー２２が配置され、このカバー２２は、ネジ（図示せず）などによってベース２１に固定され、かつ、接着固定されている。このようにして、本形態では、ベース２１、ステータ５０、およびカバー２２によって、固定体２０が構成されている。
【００２２】
（駆動機構の構成）
駆動機構５は、ステータ５０と回転体８とを利用して構成されている。ステータ５０は、環状の駆動コイル５５を２つ備えており、２つの駆動コイル５５は各々、２枚の環状のヨーク５１の間に挟まれた状態にある。この状態で、ステータ５０は、スペーサ５６を挟む下段側および上段側のいずれにおいても、２枚のヨーク５１の極歯が周方向に交互に配置される。なお、２つの駆動コイル５５から計４本のコイル端末線が引き出され、これらのコイル端末線は各々、端子台５８上の端子５９に接続されている。なお、端子５９は５本あり、そのうちの１本にはフレキシブル基板（図示せず）を介してアースパターンが接続される。
【００２３】
本形態のレンズ駆動装置１の駆動機構５では、円筒状のステータ５０の内側には、移動レンズ体１０との間に円筒状の回転体８が同軸状に配置され、この回転体８は、円筒状の駆動マグネット６０と、この駆動マグネット６０が外周面に接着固定された円筒状の樹脂製のスリーブ７０とを有している。駆動マグネット６０の外周面には、Ｓ極とＮ極が周方向に交互に配列され、駆動マグネット６０とステータ５０とによって、ステッピングモータ構造の磁気駆動機構６が構成されている。
【００２４】
スリーブ７０は、軸線周り（光軸Ｌ）に回転可能な状態にあり、２つの駆動コイル５５に給電すると、駆動マグネット６０が受ける回転駆動力によって、回転体８は光軸Ｌ周りに回転することになる。
【００２５】
また、スリーブ７０の内周面には、駆動マグネット６０の回転力を移動レンズ体１０に伝達して移動レンズ体１０を光軸Ｌに沿って移動させる駆動力伝達部としての雌ネジ７２が形成されている。
【００２６】
（移動レンズ体の構成）
本形態のレンズ駆動装置１では、スリーブ７０の内側には、３枚のレンズ２、３、４と絞り（図示せず）とをレンズホルダ１１で保持した円筒状の移動レンズ体１０が同軸状に配置されている。ここで、スリーブ７０の内周面には雌ネジ７２が形成されている一方、移動レンズ体１０においてレンズホルダ１１の外周面には雄ネジ１４が形成されており、移動レンズ体１０は、雄ネジ１４が雌ネジ７２に係合することにより、スリーブ７０に対して、光軸周りに回転可能、かつ、光軸に沿って移動可能に支持されている。ここで、レンズホルダ１１には外側に向けて突出する複数本の突起（図示せず）を光軸Ｌ方向に延びるように構成する一方、固定体２０の側、例えば、カバー２２には突起が嵌る凹部（図示せず）を形成しておき、これらの突起および凹部によって、移動レンズ体１０に雄ネジ１４および雌ネジ７２を介して回転体８の回転力が伝達されたときに移動レンズ体１０の供回りを阻止する供回り阻止機構が構成されている。従って、回転体８が回転すると、移動レンズ体１０は、供回りすることなく光軸Ｌに沿って直動することになる。このようにして、スリーブ７０の雌ネジ７２と移動レンズ体１０の雄ネジ１４とは、駆動マグネット６０の回転によって移動レンズ体１０を光軸Ｌに沿って移動させるための伝達機構を構成している。なお、供回り阻止機構を構成するにあたっては、移動レンズ体１０に溝を形成し、固定部材２０の方に突起を形成してもよい。なお、移動レンズ体１０に対しては、雄ネジ１４および雌ネジ７２との間のバックラッシュを防止するためのバネ（図示せず）を配置しておくことが好ましい。
【００２７】
（回転体８に対する支持構造）
このように構成したレンズ駆動装置１において、本形態では、磁気駆動機構６の光軸方向における中心位置で回転体８をラジアル方向で支持する中央側ラジアル支持部９１が構成されている。すなわち、本形態において、ベース２１は、回転体８と移動レンズ体１０との間でステータ５０の光軸方向の中央位置（磁気駆動機構６の光軸方向の中央位置／一点鎖線Ｃで示す位置）まで突出して回転体８の内周面に対向する突出部分２１１を備えているとともに、この突出部分２１１の上端部付近には、その外周面から半径方向外側に突出して回転体８の内周面に当接する張り出し部分２１２が形成されている。このような張り出し部分２１２は、回転体８の内周面のうち、ステータ５０の光軸方向の中央位置（磁気駆動機構６の光軸方向の中央位置）に当接して中央側ラジアル支持部９１を構成している。ここで、突出部分２１１は、周方向の複数箇所から突出している。なお、突出部分２１１は、全周に筒状に形成してもよく、この場合、張り出し部分２１２については、全周、あるいは周方向の複数箇所に形成した構成のいずれを採用してもよい。
【００２８】
また、突出部分２１１の基端側において、その内周面には、光軸方向の複数箇所に半径方向内側に突出した張り出し部分２１３が形成されており、このような張り出し部分２１３は、移動レンズ体１０の外周面に当接して移動レンズ体１０をラジアル方向で支持している。ここで、突出部分２１１を全周に形成した場合、張り出し部分２１３については、全周、あるいは周方向の複数箇所に形成した構成のいずれを採用してもよい。
【００２９】
また、本形態は、回転体８のベース２１側の端面と、ベース２１との間には、回転体８をスラスト方向で支持するスラスト支持部９２が構成されている。このようなスラスト支持部９２は、スリーブ７０から光軸方向Ｌに突出してベース２１に当接する突起８１によって構成され、このような突起８１は、周方向の３箇所に構成されている。このため、本形態では、スラスト支持部９２での回転体８とベース２１との接触面積は、回転体８の端面の面積の１／２以下である。
【００３０】
（本形態の主な効果）
本形態のレンズ駆動装置１において、磁気駆動機構６で発生する磁気駆動力によって回転体８が回転すると、その回転力が変換されて移動レンズ体１０が光軸方向Ｌに駆動される。その際、磁気駆動機構６で発生する磁気駆動力は、その軸線方向の中央位置で作用するとみなすことができ、このような作用位置に一致させて、本形態では、磁気駆動機構６の光軸方向における中心位置で回転体８をラジアル方向で支持する中央側ラジアル支持部９１が構成されている。従って、駆動時において回転体８には大きなぶれが発生しない。このため、レンズ２、３、４に傾きが発生しないので、薄型カメラなどにおいて画素数を増大させた場合でも、品位の高い画像を得ることができる。また、駆動時において回転体８には大きなぶれが発生しないため、異音の発生も防止できる。
【００３１】
また、本形態では、ベース２１を利用して、中央側ラジアル支持部９１を構成するとともに、スラスト支持部９２も構成してある。しかも、ベース２１の突出部分２１１を利用して移動レンズ体１０もラジアル方向で支持している。それ故、本形態によれば、回転体８や移動レンズ体１０を支持するための構成を簡素化できる。
【００３２】
さらに、本形態では、ベース２１からの突出部分２１１は、周方向の複数箇所に形成されているため、中央側ラジアル支持部９１は、周方向の一部に構成されているだけである。また、スラスト支持部９２を構成する回転体８の突起８１も、周方向の３箇所に構成され、スラスト支持部９２での回転体８とベース２１との接触面積は、回転体８の端面の面積の１／２以下である。それ故、本形態によれば、ベース２１と回転体８との間に作用する摩擦力が小さいので、駆動力の損失が極めて小さいという利点がある。
【００３３】
［実施の形態２］
図３（ａ）、（ｂ）はそれぞれ、本発明の実施の形態２に係るレンズ駆動装置の縦断面図、およびその要部の拡大断面図である。なお、本形態および後述する実施の形態３は、基本的な構成が実施の形態１と同様であるため、共通する部分には同一の符号を付して図示することにして、それらの説明を省略する。
【００３４】
図３（ａ）、（ｂ）において、本形態のレンズ駆動装置１も、実施の形態１と同様、カメラ付き携帯電話などに搭載されている薄型カメラであって、円筒状に構成されたステータ５０と、ステータ５０と駆動マグネット６０とによって構成された磁気駆動機構６により光軸周りに回転駆動される円筒状の回転体８と、この回転体８の回転駆動力が変換され光軸方向Ｌに駆動される移動レンズ体１０とを有している。また、ベース２１、ステータ５０、およびカバー２２によって、固定体２０が構成されている。
【００３５】
このように構成したレンズ駆動装置１において、本形態では、磁気駆動機構６の光軸方向における中心位置で回転体８をラジアル方向で支持する中央側ラジアル支持部９１が構成されている。すなわち、本形態において、ベース２１は、回転体８と移動レンズ体１０との間でステータ５０の光軸方向の中央位置（磁気駆動機構６の光軸方向の中央位置）まで突出して回転体８の内周面に対向する突出部分２１１を備えているとともに、この突出部分２１１の上端部付近には、その外周面から半径方向外側に突出して回転体８の内周面に当接する張り出し部分２１２が形成されている。このような張り出し部分２１２は、回転体８の内周面のうち、ステータ５０の光軸方向の中央位置（磁気駆動機構６の光軸方向の中央位置／一点鎖線Ｃで示す位置）に当接して中央側ラジアル支持部９１を構成している。ここで、突出部分２１１は、周方向の複数箇所から突出している。なお、突出部分２１１は、全周に筒状に形成してもよく、この場合、張り出し部分２１２については、全周、あるいは周方向の複数箇所に形成した構成のいずれを採用してもよい。
【００３６】
また、本形態では、突出部分２１１の根元付近には、その外周面から半径方向外側に突出して回転体８の内周面に当接する張り出し部分２１４を備えており、このような張り出し部分２１４によって、ベース２１と回転体８との間には、ステータ５０の光軸方向における中心位置から光軸方向の一方側に偏った位置で回転体８をラジアル方向で支持する端部側ラジアル支持部９３が構成されている。ここで、突出部分２１１を全周に形成した場合、張り出し部分２１４については、全周、あるいは周方向の複数箇所に形成した構成のいずれを採用してもよい。
【００３７】
さらに、突出部分２１１の基端側において、その内周面には、光軸方向の複数箇所に半径方向内側に突出した張り出し部分２１３が形成されており、このような張り出し部分２１３は、移動レンズ体１０の外周面に当接して移動レンズ体１０をラジアル方向で支持している。
【００３８】
さらにまた、本形態は、回転体８のベース２１側の端面と、ベース２１との間には、回転体８をスラスト方向で支持するスラスト支持部９２が構成されている。このようなスラスト支持部９２は、スリーブ７０から光軸方向Ｌに突出してベース２１に当接する突起８１によって構成され、このような突起８１は、周方向の３箇所に構成されている。このため、本形態では、スラスト支持部９２での回転体８とベース２１との接触面積は、回転体８の端面の面積の１／２以下である。
【００３９】
このように、本形態のレンズ駆動装置１においては、磁気駆動機構６の光軸方向における中心位置で回転体８をラジアル方向で支持する中央側ラジアル支持部９１が構成されている。従って、駆動時において回転体８には大きなぶれが発生しない。このため、レンズ２、３、４に傾きが発生しないので、薄型カメラなどにおいて画素数を増大させた場合でも、品位の高い画像を得ることができる。また、駆動時において回転体８には大きなぶれが発生しないため、異音の発生も防止できる。
【００４０】
また、本形態では、ベース２１を利用して、中央側ラジアル支持部９１を構成するとともに、端部側ラジアル支持部９３およびスラスト支持部９２も構成してある。しかも、ベース２１の突出部分２１１を利用して移動レンズ体１０もラジアル方向で支持している。それ故、本形態によれば、回転体８や移動レンズ体１０を支持するための構成を簡素化できる。さらに、ベース２１からの突出部分２１１は、周方向の複数箇所に形成されているため、中央側ラジアル支持部９１は、周方向の一部に構成されているだけである。また、スラスト支持部９２を構成する回転体８の突起８１も、周方向の３箇所に構成され、スラスト支持部９２での回転体８とベース２１との接触面積は、回転体８の端面の面積の１／２以下である。それ故、本形態によれば、ベース２１と回転体８との間に作用する摩擦力が小さいので、駆動力の損失が極めて小さいという利点がある。
【００４１】
［実施の形態３］
図４（ａ）、（ｂ）はそれぞれ、本発明の実施の形態３に係るレンズ駆動装置の縦断面図、およびその要部の拡大断面図である。
【００４２】
図４（ａ）、（ｂ）において、本形態のレンズ駆動装置１も、実施の形態１と同様、カメラ付き携帯電話などに搭載されている薄型カメラであって、円筒状に構成されたステータ５０と、ステータ５０と駆動マグネット６０とによって構成された磁気駆動機構６により光軸周りに回転駆動される円筒状の回転体８と、この回転体８の回転駆動力が変換され光軸方向Ｌに駆動される移動レンズ体１０とを有している。また、ベース２１、ステータ５０、およびカバー２２によって、固定体２０が構成されている。
【００４３】
このように構成したレンズ駆動装置１において、本形態では、磁気駆動機構６の光軸方向における中心位置で回転体８をラジアル方向で支持する中央側ラジアル支持部９４が構成されている。このような中央側ラジアル支持部９４を構成するにあたって、本形態では、まず、駆動マグネット６０は、第１のマグネット６１と第２のマグネット６２に分割され、これらのマグネット６１、６２は、スリーブ７０の外周面において、ステータ５０の光軸方向の中央位置（磁気駆動機構６の光軸方向の中央位置）を避けて、その両側位置に接着固定されている。また、回転体８において、マグネット６１、６２の間には、スリーブ７０の外周面に対してリング７５が接着固定され、リング７５の外周面は、回転体８の外周面から半径方向外側に張り出している。一方、固定体２０の側において、ステータ５０の内周面には、薄い円筒体５８（ステータ５０の内周面で回転体８の外周面と対向する部材）が接着固定されており、リング７５の外周面は、円筒体５８の内周面のうち、ステータ５０の光軸方向の中央位置（磁気駆動機構６の光軸方向の中央位置／一点鎖線Ｃで示す位置）に当接して、中央側ラジアル支持部９４を構成している。ここで、リング７５は、その全周が円筒体５８の内周面に当接している構成を採用してもよいが、リング７５の外周面のうち、周方向の複数箇所が円筒体５８に当接している構成を採用してもよい。また、本形態では、ステータ５０の内周面に円筒体５８を固着させたが、スペーサ５８の内周面とリング７５の外周面とを当接させて中央側ラジアル支持部９４を構成するなど、ステータ５０自身と回転体８との間に中央側ラジアル支持部９４を構成してもよい。
【００４４】
なお、本形態でも、ベース２１は、回転体８と移動レンズ体１０との間でステータ５０の光軸方向の中央位置（磁気駆動機構６の光軸方向の中央位置）まで突出して回転体８の内周面に対向する突出部分２１１を備えており、突出部分２１１の内周面には、光軸方向の複数箇所で半径方向内側に張り出して移動レンズ体１０の外周面に当接する張り出し部分２１３が形成されている。
【００４５】
また、本形態でも、回転体８のベース２１側の端面と、ベース２１との間には、回転体８をスラスト方向で支持するスラスト支持部９２が構成されている。このようなスラスト支持部９２は、スリーブ７０から光軸方向Ｌに突出してベース２１に当接する突起８１によって構成され、このような突起８１は、周方向の３箇所に構成されている。このため、本形態では、スラスト支持部９１での回転体８とベース２１との接触面積は、回転体８の端面の面積の１／２以下である。
【００４６】
このように、本形態のレンズ駆動装置１においては、磁気駆動機構６の光軸方向における中心位置で回転体８をラジアル方向で支持する中央側ラジアル支持部９４が構成されているため、駆動時において回転体８には大きなぶれが発生しない。このため、レンズ２、３、４に傾きが発生しないので、薄型カメラなどにおいて画素数を増大させた場合でも、品位の高い画像を得ることができる。また、駆動時において回転体８には大きなぶれが発生しないため、異音の発生も防止できる。
【００４７】
［その他の実施の形態］
上記形態においては、スラスト支持部９２を構成するにあたって、スリーブ７０からベース２１に向けて突起８１を突出させたが、ベース２１からスリーブ７０に向けて突起を突出させてスラスト支持部９２を構成してもよい。
【００４８】
また、上記形態では、回転体８のベース２１側の端面と、ベース２１との間にスラスト支持部９２を構成したが、このようなスラスト支持部９２に代えて、あるいはスラスト支持部９２に加えて、回転体８のカバー２２側の端面と、カバー２２との間にスラスト支持部を構成してもよい。この場合も、スリーブ７０からカバー２２に向けて突起を突出させて、あるいはカバー２２からスリーブ７０に向けて突起を突出させてスラスト支持部を構成することが好ましい。
【図面の簡単な説明】
【００４９】
【図１】本発明の実施の形態１に係るレンズ駆動装置の平面図である。
【図２】（ａ）、（ｂ）はそれぞれ、本発明の実施の形態１に係るレンズ駆動装置の縦断面図、およびその要部の拡大断面図である。
【図３】（ａ）、（ｂ）はそれぞれ、本発明の実施の形態２に係るレンズ駆動装置の縦断面図、およびその要部の拡大断面図である。
【図４】（ａ）、（ｂ）はそれぞれ、本発明の実施の形態３に係るレンズ駆動装置の縦断面図、およびその要部の拡大断面図である。
【符号の説明】
【００５０】
１  レンズ駆動装置
２、３、４  レンズ
５  駆動機構
６  磁気駆動機構
８  回転体
１０  移動レンズ体
１１  レンズホルダ
１４  雄ネジ
２０  固定体
２１  ベース
２２  カバー
５０  ステータ
５８  円筒体
６０  駆動マグネット
７０  スリーブ
７２  雌ネジ
７５  リング（張り出し部分）
８１  突起
９１、９４  中央側ラジアル支持部
９２  スラスト支持部
２１１  突出部分
２１２、２１３、２１４  張り出し部分
【図１】
2007025479.tif 000003
【図２】
2007025479.tif 000004
【図３】
2007025479.tif 000005
【図４】
2007025479.tif 000006